(57)【要約】      （修正有）【課題】物品（食器）を載置して運ぶためのトレイにおいて、トレイ上に載置した物品が滑り動くことがなく、しかも使用後に洗浄するのが容易であり、さらに重ね合わせて所定の位置に収納することも可能な滑落防止機能を有するトレイを提供する。【解決手段】一組の対向する側縁部に立脚部５ａ，５ｂを有し、載置面１に少なくともひとつの開口部２ａ，２ｂを有するトレイであって、開口部の周縁が、トレイ上に載置される物品２０を受け入れるのに適するように載置面の上及び／または下に向けて傾斜した突出面３ａ、３ｂを形成している。【選択図】図１
0003193380.tif 000002
【実用新案登録請求の範囲】
【請求項１】
一組の対向する側縁部に立脚部を有し、載置面に少なくともひとつの開口部を有するトレイであって、前記開口部の周縁が、トレイ上に載置される物品を受け入れるのに適するように載置面の上及び／または下に向けて傾斜した突出面を形成している物品載置用トレイ。
【請求項２】
前記立脚部及び突出面がトレイを積み重ねた際に、上下のトレイが安定して積み重なるように傾斜した角度を有する請求項１に記載の物品載置用トレイ。
【請求項３】
物品が食器である請求項１または２に記載の食器を載せて運ぶためのトレイ。
【考案の詳細な説明】
【技術分野】
【０００１】
本考案は、喫茶店や食堂、病院など、飲食物を提供する場において、飲食物を載せて運ぶためのトレイに関する。
【背景技術】
【０００２】
喫茶店や食堂などでは、コーヒーなどの飲料や料理などを運ぶのにトレイが用いられる。こうした場合、セルフ式の喫茶店では、多くの場合、片手に荷物を持ち、他方の手でトレイをつかんで使用することが多い。この結果、高齢者や病人その他筋力の弱い者が自分で飲食物を運ぶ場合、十分にトレイ載置面を水平に保持できず、コーヒーカップや、汁物の椀、料理の皿がトレイ上を滑ってしまい、内容物がこぼれたり、最悪の場合、トレイから滑落してしまう。また、食堂などでは、ひとりで複数人分の注文料理を店員が給仕することもある。この場合も、片手でトレイを持って狭い席間をすばやく移動しなければならないため、内容物をトレイ上にこぼすなどバランスを崩しやすい。
【０００３】
そこで、例えば、トレイの載置部分の一部に防滑材と繊維を素材とする接合材とを一体に成形した防滑盆（特許文献１参照）、所定の粘着力を回復することができ、しかも粘着剤が被貼付物に移行しない粘着剤を塗布した盆（特許文献２参照）、容器が載置されるトレイの載置面を平坦に形成し、この載置面に高摩擦性合成樹脂塗料をそれぞれ所定の間隔を隔てて被着し多数の凸部を形成したトレイ（特許文献３参照）、両端のスチレンの間にエチレン、プロピレンの連鎖構造をもつ熱可塑性エラストマー、両端のスチレンの間にエチレン、ブチレンの連鎖構造をもつ熱可塑性エスラトマーなどの防滑部材を、オレフィン系合成樹脂製盆本体と熱融着により一体化した防滑盆（特許文献４参照）、盆本体の下側及び上側に滑り防止層を備えた給仕用盆（特許文献５参照）、合成樹脂製トレイ本体の表面及び裏面に、ポリオレフィン含量４０重量％以上でＪＩＳ硬度５０Ａ〜７０Ｄの高分子組成物からなる滑り止めシートを接合した合成樹脂トレイ（特許文献６参照）などがこれまでに提案されている。
【０００４】
しかしながら、従来の滑り止め機能を有するトレイは、基本的に食器底部の滑動を粘着により抑制しているため、一定の段階までは滑動を防止できるが、トレイの傾きが限界を超えるといっきに滑ったり倒れたりして却って危険である。また、粘着性を大きいものとすると、使用後に洗浄する際に汚れなどが落ちにくく、衛生上の問題がある。また、保存時にトレイを重ね合わせるとトレイ同士の粘着が起り、使用の妨げになるという問題もある。
【先行技術文献】
【特許文献】
【０００５】
【特許文献１】実開平５−６８３７８号公報（特許請求の範囲その他）
【特許文献２】実開平６−３８７５８号公報（特許請求の範囲その他）
【特許文献３】実開平７−３９６５３号公報（特許請求の範囲その他）
【特許文献４】特開２００１−２９２０４号公報（特許請求の範囲その他）
【特許文献５】特表２０００−５０４２４３号公報（特許請求の範囲その他）
【特許文献６】特開２００１−２０６３３８号公報（特許請求の範囲その他）
【考案の概要】
【考案が解決しようとする課題】
【０００６】
本考案は、上記の状況に鑑み、物品（典型的には食器）を載置して運ぶためのトレイにおいて、トレイ上に載置した物品が滑り動くことがなく、しかも使用後にトレイを洗浄するのが容易であり、さらに重ね合わせて所定の位置に収納することも可能な滑落防止機能を有するトレイを提供することを目的としてする。
【課題を解決するための手段】
【０００７】
以上の課題を解決するために、本考案者は鋭意検討を重ね、以下の構成により上記課題が解決されることを見出した。
［１］一組の対向する側縁部に立脚部を有し、載置面に少なくともひとつの開口部を有するトレイであって、前記開口部の周縁が、トレイ上に載置される物品を受け入れるのに適するように載置面の上及び／または下に向けて傾斜した突出面を形成している物品載置用トレイ。
［２］前記立脚部及び突出面がトレイを積み重ねた際に、上下のトレイが安定して積み重なるように傾斜した角度を有する前記［１］に記載の物品載置用トレイ。
［３］物品が食器である前記［１］または［２］に記載の食器を載せて運ぶためのトレイ。
【考案の効果】
【０００８】
本考案のトレイは、物品（典型的には食器）を載置して運ぶためのトレイにおいて、トレイ上に載置した物品が滑り動くことがなく、しかも使用後にトレイを洗浄するのが容易であり、さらに重ね合わせて所定の位置に収納することも可能な滑落防止機能を有する。このため、高齢者や病人、その他筋力の乏しい者がトレイで物品を運ぶ際にも物品の内容物をこぼしたり、物品を滑落させて損壊することがない。
【図面の簡単な説明】
【０００９】
【図１】図１は、本考案の一実施形態に係るトレイの上面図およびＡ−Ａ’面における断面図である。
【図２】図２は、本考案の一実施形態に係るトレイの断面図である。
【図３】図３は、図２は、本考案の一実施形態に係るトレイを積み重ねた態様を示す模式的な断面図である。
【考案を実施するための形態】
【００１０】
本考案は、物品を載置して運ぶためのトレイにおいて、トレイ上に載置した「物品」の滑動及び／または落下を防止するために使用される。ここで、物品は、典型的には、コップ、椀、皿、グラス、ポットなど、液体・固体の食品をいれるための食器である。
【００１１】
その実施形態を、図１〜図３に示す。
図１(a)は本考案のトレイの構造を模式的に示した上面図である。図示するように、本考案のトレイ１０は、一組の対向する側縁部（図では左右の辺）に立脚部５ａ、５ｂを有する。ここで立脚部とは、トレイを水平面に置いた際にトレイの載置面（トレイ上に物品を載せるための板）１を水平に保つ支持脚部である。立脚部を有することにより、トレイの下に空間Ｓが生じるため、片手でもトレイが容易に把持できる。また、例えば、病院で用いる場合などでは、トレイを食事用の小卓に跨いだかたちで載せ、両側の立脚部を小卓の縁を挟み込むことでトレイ自体を安定して保持することができる。
【００１２】
また、後述のように、物品保持用の突出面を載置面下部に突出させた場合において、その突出高さが立脚部の指示高さ未満であれば突出面が前記水平面に接することがないので、トレイを安定して水平面上に置くことができる。
【００１３】
立脚部５ａ、５ｂはトレイの載置面１に対し垂直に設けてもよいが、安定的な支持を実現し、トレイを積み重ね得るようにするためには、直角以上の一定の角度を有していることが好ましい。
【００１４】
本考案のトレイでは載置面に少なくともひとつの開口部２を有する。図では２つの開口部２ａと２ｂを設けているが、２つに限られるものではなく、１つでもよいし、３つ以上でもよい。また、図では円形の開口部を設けているが、これは物品に即した形状とすればよく、例えば、三角形、矩形などの多角形でもよいし、物品の底部の形状に応じて楕円形、星型、その他の形状でもよい。このような開口部に物品（例えば、カップやグラス）の底部を挿入して運ぶことにより、トレイが多少傾いても、物品が載置面上を滑ることがなく、また、滑落の危険が最小化される。
【００１５】
開口部２ａなどはその周縁が上（図１（ｂ））または下（図１（ｃ））に突出面を有する。図では、周縁の突出面は外輪が上方に位置し内輪が下方に位置する円錐台の周面の形状であるが、上述のように、開口部の形状が多角形状であれば角錐台の周面の形状である（以下、説明の便宜上、最も典型的な円形開口部について説明する）。開口部は底部を有しない孔でもよいし、底部を有するものでもよい。
【００１６】
開口部の突出面は、載置面から凸起する場合でも凹没する場合でも、載置する物品（例えば、図中のカップ２０）の底部を把握・保持する形状である。図ではカップ２０の底部と完全に係合する形状を示しているが、図２（ａ）に示すように、全体として物品（図２中のグラス２０）を安定的に把握・保持する形状であればよい。一般的には底部形状と完全に対応しない突出面を設ける場合はある程度の深さを有することが好ましい。
【００１７】
物品を安定的に把握・保持する限りにおいて、突出面は、載置面から凸起してもよいし凹没してもよく、図２（ａ）に示すように載置面の上下に突出していてもよい。突出面により構成される部分は有底でも無底でもよく、有底の場合、底面は平面（図２（ａ）左）でもよいし曲面（図２（ａ）右）でもよく、また、全体的に平面で周縁のみＲを有する形状でもよい。図では、突出面が載置面に対して傾斜した面となっているが、直交する面でもよい。
【００１８】
突出面の大きさ（突出高さ＋深さ、以下、単に「突出高」という）は、一般的には保持しようとする物品の高さの５％〜５０％、より好ましくは１０％〜３０％程度である。突出高があまりに小さいと物品を保持する効果が少ない。突出高があまりに大きいと、製造コストが増大する上、物品を置いたり取り上げたりするのが困難になるおそれがある。
【００１９】
なお、図では開口部（及びそれに伴う突出面）をトレイの端に設けているが、その位置は、目的に応じて変更可能である。例えば、皿（ライスやシチューの皿など）を保持する必要がある場合は、真ん中に設けてもよいし、全体のバランスに応じて位置は決定される。
【００２０】
本考案において、開口部および突出面を形成する方法は特に限定されず、金型を用いた一体成型、３Ｄプリンターなどによる成形でもよい。また、図２（ｃ）に示すように、最初に開口部２ａ、２ｂを形成し、その後に有底または無底のコーン７ａ、７ｂをその開口部に嵌め込む方法によってもよい。この場合、コーン７ａ、７ｂは融着や接着剤、ネジ留めなどにより載置面１に固定できるが、図２（ｃ）右に示すように、７ｂの途中にフランジ８を設け、このフランジを載置面に固定することによりコーンを固定してもよい。フランジ８の載置面への固定は、融着や接着剤、ネジ留めなどのいずれの方法も用い得る。
【００２１】
図１〜３では、前記突出面は載置面に対して傾斜した面となっている。これは載置面に対して直角な面でもよいが、傾斜を設けることにより、図３に示すように積み重ねた際、前記立脚部の傾斜とともに上下が積み重ねられることになり、保存上、便利である。この傾斜角度は特に限定されず、前記の突出高にもよるが、例えば、６０度以上９０度未満の範囲である。
【００２２】
なお、トレイにおける他の部分は既存の構成と同様でよい。例えば、周縁に沿って突起６を設けたり、表面に粗面を設けて、開口部に挿入する食器以外の物品の滑落をしにくくする。
【符号の説明】
【００２３】
１…載置面
２ａ、２ｂ…開口部
３ａ、３ｂ…突出面
５ａ、５ｂ…立脚部
６…突起
８…フランジ
１０…トレイ
２０…カップまたはコップ
【図１】
0003193380.tif 000003
【図２】
0003193380.tif 000004
【図３】
0003193380.tif 000005